(57)【要約】【課題】光ピックアップを適切に案内できる構成を容易に実施可能なディスク装置の提供。【解決手段】ディスク装置１００に、略棒状のサブシャフト３１２と、光ピックアップ３３０を保持しピックアップ移動手段３１３の駆動により光ピックアップ３３０の案内方向に移動可能に設けられた保持部本体３２１と、この保持部本体３２１に設けられ保持部本体３２１の移動時にサブシャフト３１２に摺接するシャフト係合部３２４Ａと、を設けた。サブシャフト３１２を、軸方向の少なくとも一部が保持部本体３２１の移動方向に対して交差する状態で設けた。【選択図】図３
2008112519.tif 000002
【特許請求の範囲】
【請求項１】
ディスク状の記録媒体を保持する記録媒体保持装置にて保持された前記記録媒体の径方向に略沿って光ピックアップを案内する光ピックアップ案内装置であって、
略棒状に形成されたガイド部材と、
前記光ピックアップを保持し、移動手段の駆動に伴い前記光ピックアップの案内方向に移動可能に設けられた保持部本体と、
この保持部本体に設けられ、前記保持部本体の移動時に前記ガイド部材に摺接する摺接部と、
を具備し、
前記ガイド部材は、軸方向の少なくとも一部が前記保持部本体の移動方向に対して交差する状態で設けられた
ことを特徴とした光ピックアップ案内装置。
【請求項２】
請求項１に記載の光ピックアップ案内装置であって、
前記ガイド部材は、一直線の軸を有する略棒状に形成され、前記一直線の軸が前記保持部本体の移動方向に対して交差する状態で設けられた
ことを特徴とした光ピックアップ案内装置。
【請求項３】
請求項１または請求項２に記載の光ピックアップ案内装置であって、
前記ガイド部材は、前記保持部本体が前記記録媒体保持装置から離れるにしたがって、前記摺接部との接触位置が前記保持部本体の中心から離れる状態に設けられた
ことを特徴とした光ピックアップ案内装置。
【請求項４】
請求項１ないし請求項３のいずれかに記載の光ピックアップ案内装置であって、
前記ガイド部材は、前記軸方向に直交する断面が略円形状の略丸棒状に形成された
ことを特徴とした光ピックアップ案内装置。
【請求項５】
請求項１ないし請求項４のいずれかに記載の光ピックアップ案内装置であって、
前記保持部本体および前記摺接部は、アルミニウムを主成分とした材料により形成された
ことを特徴とした光ピックアップ案内装置。
【請求項６】
ディスク状の記録媒体を収納可能なケース体と、
このケース体の前記記録媒体の収納位置近傍に設けられ、前記記録媒体を保持する記録媒体保持装置と、
光ピックアップと、
前記記録媒体保持装置にて保持された前記記録媒体の径方向に略沿って前記光ピックアップを案内する請求項１ないし請求項５のいずれかに記載の光ピックアップ案内装置と、
この光ピックアップ案内装置の前記保持部本体を前記光ピックアップの案内方向に移動させる移動手段と、
を具備したことを特徴としたディスク装置。
【発明の詳細な説明】
【技術分野】
【０００１】
本発明は、光ピックアップを案内する光ピックアップ案内装置、および、ディスク装置に関する。
【背景技術】
【０００２】
従来、光ピックアップを搬送する構成が知られている。（例えば、特許文献１参照）。
【０００３】
この特許文献１に記載のものは、ピックアップに、駆動源のスクリュと螺合して駆動力を伝える螺合部と、他方の対向する片側に送り軸を挿入して摺動可能に支持する円筒状の係合部とを備えている。そして、送り軸に、外周に所定の間隔を空けて３箇所軸方向に向かって切り欠いて周設した切欠部を設けることにより、送り軸への異物の付着などを防止して、ピックアップの搬送動作に悪影響を与えない構成が採られている。
【０００４】
また、例えば図１および図２に示すような、記録媒体である光ディスクにおける少なくとも一面に設けられた図示しない記録面に記録された情報を読み出す情報処理である読取処理および記録面へ各種情報を記録する情報処理である記録処理の少なくとも一方の処理をする情報処理部９００が知られている。
この情報処理部９００は、図１に示すように、処理移動部９１０と、この処理移動部９１０によりターンテーブル９４０に対して近接離隔されるピックアップ保持部９２０と、このピックアップ保持部９２０で保持される光ピックアップ９３０と、などを備えている。
【０００５】
処理移動部９１０は、メインシャフト９１１と、サブシャフト９１２と、ピックアップ移動手段９１３と、を備えている。
メインシャフト９１１は、丸棒状に形成され、軸方向がピックアップ保持部９２０の移動方向と一致する状態で設けられている。
サブシャフト９１２は、丸棒状に形成され、メインシャフト９１１から離間した位置に、軸方向がメインシャフト９１１の軸方向と略一致する状態で設けられている。
ピックアップ移動手段９１３は、電動用モータ９１３Ａを備えている。この電動用モータ９１３Ａは、ターンテーブル９４０近傍に設けられている。そして、電動用モータ９１３Ａの図示しないモータ軸には、外周面に螺旋状の係合溝９１３Ｂ１が設けられたリードスクリュ９１３Ｂが同軸上に一体的に連結されている。このリードスクリュ９１３Ｂは、メインシャフト９１１の近傍において、サブシャフト９１２と反対側に、かつ、軸方向がメインシャフト９１１の軸方向と一致する状態で設けられている。
【０００６】
ピックアップ保持部９２０は、図１および図２に示すように、保持部本体９２１を備えている。この保持部本体９２１は、長手方向の寸法がメインシャフト９１１およびサブシャフト９１２間の距離よりも若干短い略長方形板状に形成されている。
また、保持部本体９２１の長手方向の一端には、保持部本体９２１の面外方向に突出する状態で２個のメインシャフト受部９２２が設けられている。このメインシャフト受部９２２は、メインシャフト９１１を軸受けするシャフト軸受孔９２２Ａを備えている。
さらに、保持部本体９２１の長手方向の一端には、メインシャフト受部９２２に隣接する状態で、移動規制部９２３が設けられている。この移動規制部９２３は、保持部本体９２１の面外方向に突出し、リードスクリュ９１３Ｂの係合溝９１３Ｂ１に係合される２個の規制爪９２３Ａを備えている。
また、保持部本体９２１の長手方向の他端には、保持部本体９２１の面外方向に突出する状態でサブシャフト受部９２４が設けられている。このサブシャフト受部９２４は、サブシャフト９１２が係合可能な断面コ字状のシャフト係合部９２４Ａを備えている。
ここで、サブシャフト受部９２４にも、シャフト軸受孔９２２Ａと同様にサブシャフト９１２を軸受けする軸受孔を設けることが好ましい。しかしながら、製造精度の観点から困難であり、図１に示すようなメインシャフト９１１およびサブシャフト９１２を有する構成では、一般的に、サブシャフト受部９２４として、サブシャフト９１２の一部が係合する構成を適用している。
【０００７】
そして、ピックアップ保持部９２０は、メインシャフト受部９２２のシャフト軸受孔９２２Ａにメインシャフト９１１が挿通され、かつ、サブシャフト受部９２４のシャフト係合部９２４Ａにサブシャフト９１２が係合されることにより、メインシャフト９１１およびサブシャフト９１２を架橋する状態で設けられている。さらに、ピックアップ保持部９２０は、移動規制部９２３の規制爪９２３Ａがリードスクリュ９１３Ｂの係合溝９１３Ｂ１に係合される状態で設けられ、電動用モータ９１３Ａの駆動に伴いメインシャフト９１１およびサブシャフト９１２の軸方向に移動する。
【０００８】
光ピックアップ９３０は、図示しない光源と、この光源からの光を収束するピックアップレンズ９３１と、光ディスクで反射された出射光を検出する図示しない光センサと、を備えている。これら光源、ピックアップレンズ９３１、および、光センサは、保持部本体９２１の略中央に、光ディスクに臨む状態で設けられている。
【０００９】
【特許文献１】特開２００３−１６２８７２号公報
【発明の開示】
【発明が解決しようとする課題】
【００１０】
ところで、図１に示すような情報処理部９００では、上述したように、サブシャフト９１２の軸方向がメインシャフト９１１の軸方向と略一致する状態、つまりピックアップ保持部９２０の移動方向と略一致する状態で設けられている。そして、ピックアップ保持部９２０が図１の実線で示すターンテーブル９４０近傍の位置（以下、中央位置と称す）から、図１の想像線（２点鎖線）で示すターンテーブル９４０から離間した位置（以下、外側位置と称す）まで移動したとしても、図２に示すように、サブシャフト９１２およびシャフト係合部９２４Ａの接触位置は、移動せずに略等しい位置Ｐ９になる。
このため、ピックアップ保持部９２０の移動が繰り返された際に、このときの摩擦により、軸受けを設けていないシャフト係合部９２４Ａの位置Ｐ９が摩耗してしまい、ピックアップレンズ９３１と光ディスクとの距離を適切に保つことができず、情報処理を適切に実施できなくなるおそれがあるという問題点が一例として挙げられる。
また、摩耗による削りかすにより位置Ｐ９で摩擦が生じて、ピックアップ保持部９２０の摺動負荷が大きくなり、光ピックアップ９３０を適切に移動できないおそれがあるという問題点も一例として挙げられる。
さらに、図１に示すような情報処理部９００のメインシャフト９１１およびサブシャフト９１２に、特許文献１に記載のような構成を適用することにより、メインシャフト９１１およびサブシャフト９１２への異物や削りかすの付着などを防止して、光ピックアップ９３０の搬送動作に悪影響を与えないようにすることが考えられる。
しかしながら、上述したように、サブシャフト受部９２４にサブシャフト９１２を軸受けする軸受孔を設けることは、製造精度の観点から困難であり、特許文献１に記載のような構成を容易に適用することができないおそれがある。このため、光ピックアップ９３０の搬送動作に悪影響を与えないようにする構成を容易に実施できないおそれがあるという問題点も一例として挙げられる。
【００１１】
本発明は、光ピックアップを適切に案内できる構成を容易に実施可能な光ピックアップ案内装置、および、ディスク装置を提供することを１つの目的とする。
【課題を解決するための手段】
【００１２】
請求項１に記載の発明は、ディスク状の記録媒体を保持する記録媒体保持装置にて保持された前記記録媒体の径方向に略沿って光ピックアップを案内する光ピックアップ案内装置であって、略棒状に形成されたガイド部材と、前記光ピックアップを保持し、移動手段の駆動に伴い前記光ピックアップの案内方向に移動可能に設けられた保持部本体と、この保持部本体に設けられ、前記保持部本体の移動時に前記ガイド部材に摺接する摺接部と、を具備し、前記ガイド部材は、軸方向の少なくとも一部が前記保持部本体の移動方向に対して交差する状態で設けられたことを特徴とした光ピックアップ案内装置である。
【００１３】
請求項６に記載の発明は、ディスク状の記録媒体を収納可能なケース体と、このケース体の前記記録媒体の収納位置近傍に設けられ、前記記録媒体を保持する記録媒体保持装置と、光ピックアップと、前記記録媒体保持装置にて保持された前記記録媒体の径方向に略沿って前記光ピックアップを案内する請求項１ないし請求項５のいずれかに記載の光ピックアップ案内装置と、この光ピックアップ案内装置の前記保持部本体を前記光ピックアップの案内方向に移動させる移動手段と、を具備したことを特徴としたディスク装置である。
【発明を実施するための最良の形態】
【００１４】
〔ディスク装置の構成〕
以下、本発明における一実施の形態に係るディスク装置を図面に基づいて説明する。なお、上述した図１に示す構成と略同一の構成については、同一名称を付し説明を適宜省略する。図３は、本発明の一実施の形態に係るディスク装置の内部構成を示す平面図である。
【００１５】
図３において、１００は、本発明の一実施の形態に係るディスク装置であり、このディスク装置１００は、例えば携帯型のパーソナルコンピュータなどの電気機器に装着されるいわゆるスリムディスク装置（或いはスリムディスクドライブ）と称されるものである。このディスク装置１００は、着脱可能に装着される面状の記録媒体、例えばＣＤ（Compact Disc）やＤＶＤ（Digital Versatile Disc）あるいはＢＤ（Blu-ray Disc：ブルーレイディスク）またはＨＤ−ＤＶＤ（High Definition DVD）などにおける少なくとも一面に設けられた図示しない記録面に記録された情報を読み出す情報処理である読取処理および記録面へ各種情報を記録する情報処理である記録処理の少なくとも一方の処理をする。
そして、ディスク装置１００は、ケース体１１０を備えている。
【００１６】
ケース体１１０は、底部側の下ケース１１１と天面側の図示しない上ケースとにより構成され、内部に空間を有する略四角箱状に形成されている。このケース体１１０は、一面側に開口部１１２を有している。そして、ケース体１１０内には、トレイ部１２０と、このトレイ部１２０の開口部１１２を介した進退移動を案内するレール部１３０と、トレイ部１２０の進退移動をケース体１１０内にロックする図示しないロック機構と、ディスク装置１００の動作の制御などを実施する図示しない制御回路部とが設けられている。
【００１７】
トレイ部１２０は、トレイ１２１を備えている。このトレイ１２１は、例えば合成樹脂などにて形成された略板状に形成され、ケース体１１０の開口部１１２から進出自在に設けられている。
また、トレイ１２１の一縁側には、トレイ１２１がケース体１１０内部に収納された状態で、ケース体１１０の開口部１１２を閉塞する化粧板１２２が設けられている。
さらに、トレイ１２１の上面側には、記録媒体としての図示しない光ディスクの径寸法より若干大きい円弧状凹部１２３が設けられている。また、トレイ１２１には、化粧板１２２側の一端部から円弧状凹部１２３の略中心に向かってディスク処理部２００が設けられている。
【００１８】
レール部１３０は、ケース体１１０の開口部１１２からトレイ１２１の進退方向に沿って配設され、トレイ１２１の両側面に沿って設けられている。このレール部１３０は、ケース体１１０に固定される一対のレール１３１と、トレイ１２１に摺動可能に設けられるレールガイド１３２と、を備えている。
【００１９】
レール１３１は、開口部１１２の左右両端からケース体１１０の奥側に向かって延出して形成されている。これらのレール１３１は、互いに対向する面が開口する断面略コ字状の凹溝を備えて形成され、この凹溝にそれぞれレールガイド１３２が摺動自在に支持されている。また、レール１３１には、図示しない摺動規制部が設けられており、レールガイド１３２の摺動範囲を規制している。すなわち、レール１３１の摺動規制部は、開口部１１２側にレールガイド１３２が移動した際に、レールガイド１３２が凹溝から外れて抜け落ちるのを防止している。
【００２０】
レールガイド１３２はトレイ１２１の両側面にそれぞれ設けられており、前述したように、レール１３１の凹溝に摺動可能に保持されている。また、レールガイド１３２は、トレイ１２１に対して摺接自在に取り付けられている。また、トレイ１２１には、図示しない移動規制部が設けられており、この移動規制部によりレールガイド１３２は摺動範囲を規制され、トレイ１２１がレールガイド１３２からの抜け落ちを防止している。
【００２１】
トレイ部１２０に設けられたディスク処理部２００は、例えば金属板にて略板状に形成され一端が揺動自在にトレイ１２１に支持された台座部２１０を有している。この台座部２１０は、トレイ１２１の化粧板１２２側の一端部から、中心位置に向かって長手に形成されている。また、台座部２１０には、長手方向に沿って、長手状の処理開口部２１１が略中央に切欠形成されている。そして、台座部２１０の処理開口部２１１の一端側にディスク回転駆動手段２２０が配設されている。
【００２２】
ディスク回転駆動手段２２０は、図示しないスピンドルモータと、このスピンドルモータの出力軸に一体的に設けられた記録媒体保持装置としてのターンテーブル２３０と、を備えている。スピンドルモータは、制御回路部に制御可能に接続され、制御回路部から供給される電力により駆動する。ターンテーブル２３０は、トレイ１２１の略中心部に設けられるとともに光ディスクを回転可能に保持する。
【００２３】
また、台座部２１０には、情報処理部３００が設けられている。この情報処理部３００は、処理移動部３１０と、ピックアップ保持部３２０と、光ピックアップ３３０と、などを備えている。
【００２４】
処理移動部３１０は、メインシャフト３１１と、ガイド部材としてのサブシャフト３１２と、移動手段であるピックアップ移動手段３１３と、を備えている。
【００２５】
メインシャフト３１１は、例えばステンレスなどにより丸棒状に形成され、軸方向がピックアップ保持部３２０の移動方向と一致する状態で設けられている。
【００２６】
サブシャフト３１２は、例えばメインシャフト３１１と同一材料により同一形状、つまり一直線の軸を有する丸棒状に形成されている。このサブシャフト３１２は、メインシャフト３１１から離間した位置に、軸方向がメインシャフト３１１の軸方向と交差する状態で設けられている。具体的には、サブシャフト３１２は、ターンテーブル２３０近傍におけるメインシャフト３１１までの距離Ｌ１（図４参照）が、ターンテーブル２３０から離れた位置における距離Ｌ２（図４参照）よりも短くなる状態で設けられている。
つまり、サブシャフト３１２は、軸方向の少なくとも一部がピックアップ保持部３２０の移動方向に対して交差する状態で設けられている。また、サブシャフト３１２は、ピックアップ保持部３２０の後述する保持部本体３２１がターンテーブル２３０から離れるにしたがって、後述する摺接部としてのシャフト係合部３２４Ａとの接触位置が保持部本体３２１の中心から離れる状態に設けられている。
【００２７】
ピックアップ移動手段３１３は、外周面に螺旋状の係合溝３１３Ｂ１が設けられたリードスクリュ３１３Ｂが図示しないモータ軸に設けられた電動用モータ３１３Ａを備えている。そして、リードスクリュ３１３Ｂは、メインシャフト３１１の近傍において、サブシャフト３１２と反対側に、かつ、軸方向がメインシャフト３１１の軸方向と一致する状態で設けられている。
【００２８】
ピックアップ保持部３２０は、メインシャフト３１１およびサブシャフト３１２を架橋する状態で設けられた略長方形板状の保持部本体３２１を備えている。この保持部本体３２１の長手方向の一端には、シャフト軸受孔３２２Ａを有する２個のメインシャフト受部３２２と、リードスクリュ３１３Ｂの係合溝３１３Ｂ１に係合される２個の規制爪３２３Ａを有する移動規制部３２３と、が設けられている。また、保持部本体３２１の長手方向の他端には、サブシャフト３１２が係合可能な断面コ字状のシャフト係合部３２４Ａを有するサブシャフト受部３２４が設けられている。
これら保持部本体３２１、メインシャフト受部３２２、移動規制部３２３、および、サブシャフト受部３２４は、アルミニウムを主成分とした材料により形成されている。
なお、サブシャフト３１２と、保持部本体３２１と、シャフト係合部３２４Ａと、にて、本発明の光ピックアップ案内装置が構成されている。
【００２９】
光ピックアップ３３０は、保持部本体３２１の略中央に光ディスクに臨む状態でそれぞれ設けられた、図示しない光源と、ピックアップレンズ３３１と、光センサと、を備えている。
【００３０】
つまり、情報処理部３００は、図１に示すような従来の情報処理部９００において、サブシャフト９１２の配置状態のみを変更した構成を有している。
【００３１】
制御回路部は、ディスク処理部２００の動作を制御して、例えば情報処理部３００に光ディスクの情報読込処理や情報書込処理を実施させたりする。また、制御回路部は、ターンテーブル２３０の回転動作や、情報処理部３００の移動動作、台座部２１０の動作などをも制御する。さらに、制御回路部は、化粧板１２２に設けられたイジェクトボタンから入力されるイジェクト命令信号を制御回路部に出力する。
【００３２】
〔ディスク装置の動作〕
次に、上述したディスク装置１００の動作として、光ピックアップ３３０の搬送動作について説明する。図４は、光ピックアップの搬送状態を示す模式図である。図５は、光ピックアップの搬送時におけるサブシャフトとシャフト係合部との接触状態を示す模式図である。
【００３３】
まず、例えば光ディスクの中心近傍の記録面から情報を読み込む場合など、図４の実線で示すように、ピックアップ保持部３２０が中央位置（ターンテーブル２３０近傍の位置）に位置する状態では、サブシャフト３１２は、図５の実線で示す位置に位置する。つまり、サブシャフト３１２およびシャフト係合部３２４Ａの接触位置は、シャフト係合部３２４Ａにおける保持部本体３２１の中心側の位置Ｐ１となる。
【００３４】
そして、例えば光ディスクの外縁近傍の記録面から情報を読み込む場合など、図４の想像線（２点鎖線）で示すように、ピックアップ保持部３２０が外側位置（ターンテーブル２３０から離間した位置）まで移動した状態では、サブシャフト３１２は、図５の想像線で示す位置に位置する。つまり、サブシャフト３１２およびシャフト係合部３２４Ａの接触位置は、位置Ｐ１よりも保持部本体３２１の中心から離れた位置Ｐ２となる。
このとき、外側位置の状態におけるサブシャフト３１２およびメインシャフト３１１間の距離Ｌ２は、中央位置の状態における距離Ｌ１よりも長くなる。このため、外側位置の状態におけるメインシャフト３１１およびサブシャフト３１２によるピックアップ保持部３２０の支持状態は、中央位置の状態と比べて安定する。
【００３５】
〔ディスク装置の作用効果〕
上述したように、上記実施の形態では、ディスク装置１００に、略棒状のサブシャフト３１２と、光ピックアップ３３０を保持しピックアップ移動手段３１３の駆動により光ピックアップ３３０の案内方向に移動可能に設けられた保持部本体３２１と、この保持部本体３２１に設けられ保持部本体３２１の移動時にサブシャフト３１２に摺接するシャフト係合部３２４Ａと、を設けている。そして、サブシャフト３１２を、軸方向の少なくとも一部が保持部本体３２１の移動方向に対して交差する状態で設けている。
このため、保持部本体３２１を有するピックアップ保持部３２０が中央位置から外側位置に移動した際に、サブシャフト３１２およびシャフト係合部３２４Ａの接触位置を、位置Ｐ１から位置Ｐ２に移動させることができる。したがって、ピックアップ保持部３２０の移動が繰り返されたとしても、摩擦により、軸受けを設けていないシャフト係合部３２４Ａが摩耗するのを、図１に示す従来の構成と比べて抑制することができる。
また、摩耗による削りかすの発生を抑制できるので、ピックアップ保持部３２０の摺動負荷の増大を抑制でき、光ピックアップ３３０を適切に移動させることができる。
さらに、サブシャフト３１２を軸方向の少なくとも一部が保持部本体３２１の移動方向に対して交差する状態で設けるだけでよく、サブシャフト受部３２４にサブシャフト３１２を軸受けする構成を設ける必要がないので、光ピックアップ３３０の搬送に悪影響を与えない構成を容易に実施できる。
そして、ディスク装置１００に、上述したような光ピックアップ３３０を適切に案内できる構成を設けているので、ピックアップレンズ３３１と光ディスクとの距離を適切に保つことができ、情報処理を適切に実施できる。
【００３６】
また、サブシャフト３１２を、一直線の軸を有する棒状に形成している。
このため、図１に示すような従来ある構成の配置位置を変更するだけの簡単な方法で、光ピックアップ３３０を適切に案内可能な構成を実施できる。
さらに、例えばサブシャフト３１２を屈曲させて、軸方向の少なくとも一部が保持部本体３２１の移動方向に対して交差する状態で設ける構成と比べて、サブシャフト３１２の製造を容易にできる。
【００３７】
そして、サブシャフト３１２を、保持部本体３２１がターンテーブル２３０から離れるにしたがって、シャフト係合部３２４Ａとの接触位置が保持部本体３２１の中心から離れる状態に設けている。
このため、外側位置の状態におけるサブシャフト３１２およびメインシャフト３１１間の距離Ｌ２を、中央位置の状態における距離Ｌ１よりも長くすることができ、外側位置の状態におけるメインシャフト３１１およびサブシャフト３１２によるピックアップ保持部３２０の支持状態を、中央位置の状態と比べて安定させることができる。したがって、光ディスクの線速度が中央位置に比べて速くなる外側位置において、光ピックアップ３３０をより安定させた状態で支持でき、光ディスクの情報処理を精度よく実施できる。
【００３８】
さらに、サブシャフト３１２を、軸方向に直交する断面が円形状の丸棒状に形成している。
このため、サブシャフト３１２を軸方向に直交する断面が略多角形状の略角棒状に形成して、その側面とシャフト係合部３２４Ａとを面接触させる構成と比べて、接触位置の面積を小さくすることができる。したがって、シャフト係合部３２４Ａの摩耗をより抑制でき、シャフト係合部３２４Ａの長寿命化を図ることができる。
【００３９】
そして、保持部本体３２１、メインシャフト受部３２２、移動規制部３２３、および、サブシャフト受部３２４を、アルミニウムを主成分とした材料により形成している。
このため、上述したような従来と比べて摩耗を抑制できる構成の適用により、摩耗しやすいアルミニウムを主成分とした材料でピックアップ保持部３２０を形成することが可能となるので、ピックアップ保持部３２０の変形抑制、放熱性の向上、軽量化を容易に図ることができる。
【００４０】
〔実施の形態の変形〕
なお、本発明は、上述した一実施の形態に限定されるものではなく、本発明の目的を達成できる範囲で以下に示される変形をも含むものである。
【００４１】
すなわち、上記実施の形態では、ディスク装置１００は、ノート型パーソナルコンピュータなどに搭載可能な薄型ディスク装置を例示したが、これに限定されず、例えばデスクトップ型パーソナルコンピュータなどに搭載される比較的大型のディスク装置にも適用することができる。
【００４２】
また、図６に示すような、ガイド部材としてのサブシャフト４１２を適用する構成としてもよい。
このサブシャフト４１２は、円弧状の軸を有する屈曲した棒状に形成され、円弧状の両端を結ぶ直線がピックアップ保持部３２０の移動方向と略平行となる状態に設けられている。つまり、サブシャフト４１２は、軸方向の少なくとも一部が保持部本体３２１の移動方向に対して交差する状態で設けられている。
このような構成にすれば、ピックアップ保持部３２０が図６の実線で示す中央位置から、図６の想像線で示す中央位置および外側位置の略中間の位置（以下、中間位置と称す）に移動した際に、サブシャフト４１２およびシャフト係合部３２４Ａの接触位置を移動させることができ、上記実施の形態の構成と同様の作用効果を奏することができる。
なお、屈曲した棒状としては、円弧状の軸ではなく、Ｖ字状、略コ字状などの軸を有する棒状を適用してもよい。
【００４３】
そして、サブシャフト３１２を、保持部本体３２１がターンテーブル２３０から離れるにしたがって、シャフト係合部３２４Ａとの接触位置が保持部本体３２１の中心に近づく状態に設けてもよい。
【００４４】
さらに、サブシャフト３１２，４１２を、軸方向に直交する断面が多角形状や楕円形状の棒状に形成してもよい。
【００４５】
そして、ピックアップ保持部３２０を、アルミニウムを主成分とする材料以外の材料で形成してもよい。特に、本発明では、シャフト係合部３２４Ａの摩耗を抑制できるので、ピックアップ保持部３２０を樹脂材料で形成することができる。
【００４６】
その他、本発明の実施の際の具体的な構造および手順は、本発明の目的を達成できる範囲で他の構造などに適宜変更できる。
【００４７】
〔実施の形態の効果〕
上述したように、上記実施の形態では、ディスク装置１００に、サブシャフト３１２と、光ピックアップ３３０を保持し光ピックアップ３３０の案内方向に移動可能に設けられた保持部本体３２１と、この保持部本体３２１に設けられサブシャフト３１２に摺接するシャフト係合部３２４Ａと、を設けている。そして、サブシャフト３１２を、軸方向の少なくとも一部が保持部本体３２１の移動方向に対して交差する状態で設けている。
このため、保持部本体３２１を有するピックアップ保持部３２０が中央位置から外側位置に移動した際に、サブシャフト３１２およびシャフト係合部３２４Ａの接触位置を、位置Ｐ１から位置Ｐ２に移動させることができる。したがって、ピックアップ保持部３２０の移動が繰り返されたとしても、摩擦により、軸受けを設けていないシャフト係合部３２４Ａが摩耗するのを、図１に示す従来の構成と比べて抑制することができる。
また、摩耗による削りかすの発生を抑制できるので、ピックアップ保持部３２０の摺動負荷の増大を抑制でき、光ピックアップ３３０を適切に移動させることができる。
さらに、サブシャフト３１２を軸方向の少なくとも一部が保持部本体３２１の移動方向に対して交差する状態で設けるだけでよく、サブシャフト受部３２４にサブシャフト３１２を軸受けする構成を設ける必要がないので、光ピックアップ３３０の搬送に悪影響を与えない構成を容易に実施できる。
そして、ディスク装置１００に、上述したような光ピックアップ３３０を適切に案内できる構成を設けているので、ピックアップレンズ３３１と光ディスクとの距離を適切に保つことができ、情報処理を適切に実施できる。
【図面の簡単な説明】
【００４８】
【図１】従来の光ピックアップの搬送状態を示す模式図である。
【図２】前記従来の光ピックアップの搬送時におけるサブシャフトとシャフト係合部との接触状態を示す模式図である。
【図３】本発明の一実施の形態に係るディスク装置の内部構成を示す平面図である。
【図４】前記一実施の形態における光ピックアップの搬送状態を示す模式図である。
【図５】前記一実施の形態における光ピックアップの搬送時におけるサブシャフトとシャフト係合部との接触状態を示す模式図である。
【図６】本発明の他の実施の形態に係る光ピックアップの搬送状態を示す模式図である。
【符号の説明】
【００４９】
１００…ディスク装置
１１０…ケース体
２３０…記録媒体保持装置としてのターンテーブル
３１２，４１２…光ピックアップ案内装置を構成するガイド部材としてのサブシャフト
３１３…移動手段であるピックアップ移動手段
３２１…光ピックアップ案内装置を構成する保持部本体
３２４Ａ…光ピックアップ案内装置を構成する摺接部としてのシャフト係合部
３３０…光ピックアップ
【図１】
2008112519.tif 000003
【図２】
2008112519.tif 000004
【図３】
2008112519.tif 000005
【図４】
2008112519.tif 000006
【図５】
2008112519.tif 000007
【図６】
2008112519.tif 000008